(57)【要約】【課題】簡単な装置によって、優れた放射性物質除去能力を有する浄水器を構成し、一般家庭にも普及し得るようにする浄水器を提供する。【構成】上部には水道の蛇口と連通する原水供給口、下部には放射性物資が除去された水の吐出口を有し、内部には放射性物質を除去する微量のラジウムを含む風化した粒状花崗岩層を含み、放射性物質を検出限界以下に除去することを特徴とする。【選択図】  図１
0003169705.tif 000002
【実用新案登録請求の範囲】
【請求項１】
上部には水道の蛇口と連通する原水供給口、下部には放射性物資が除去された水の吐出口を有し、内部には放射性物質を除去する微量のラジウムを含む風化した粒状花崗岩層を含むことを特徴とする水道水から放射性物質を除去する浄水器。
【請求項２】
前記微量のラジウムを含む風化した粒状花崗岩層の上部に、スクリーンを介して活性炭層が積層されている請求項１に記載の浄水器。
【請求項３】
前記上部の活性炭層と下部の微量のラジウムを含む風化した粒状花崗岩層とは、上下のスクリーンで挟持されている請求項２に記載の浄水器。
【請求項４】
前記スクリーンは、ステンレス製の網である請求項３に記載の浄水器。
【請求項５】
前記スクリーンは、５０〜２００メッシュの網目を有し、前記活性炭及び風化した粒状花崗岩は、これより大きな粒度を有する請求項４に記載の浄水器。
【考案の詳細な説明】
【技術分野】
【０００１】
この発明は、放射性物質で汚染された水道水から、放射性物質を飲料に適する程度に除去できる安価な浄水器に関する。
【背景技術】
【０００２】
現在、原子力発電所からの放射性ヨウ素及びセシウムのような放射性物質とホウ素が水道水を汚染する問題が発生している。特にヨウ素１３１は、乳児が摂取すると、咽頭がんになる危険性があることから、大変重大な問題となっている。活性炭を使用した浄水器では、ある程度のヨウ素は除去できるが、人体に無害となる程度には到底除去できない。セシウムは活性炭を使用した浄水器では殆ど除去できない。ホウ素は、多量に摂取すれば死に至ると言われているが、ホウ素は、水よりわずかに分子が大きいだけなので、活性炭を使用した浄水器では、飲用に適する程度までは、到底除去できない。
【０００３】
放射性物質を除去する浄水器とするには、極めて高価なものとなるので、一般家庭用の浄水器としては、あまり普及していないのが現状である。
【考案の開示】
【考案が解決しようとする課題】
【０００４】
本考案は、簡単な装置によって、優れた放射性物質除去能力を有する浄水器を構成し、一般家庭にも普及し得るようにする浄水器を提供することを目的とする。
【課題を解決するための手段】
【０００５】
上記目的を達成するため本考案者は、鋭意研究の結果、ラジウムを含む風化した粒状花崗岩が、優れた放射性物質去能力を有することを見出し、本考案に到達した。
【０００６】
即ち本考案は、上部には水道の蛇口と連通する原水供給口、下部には放射性物資が除去された水の吐出口を有し、内部には放射性物質を除去する微量のラジウムを含む風化した粒状花崗岩層を含み、放射性物質を除去することを特徴とする。
【０００７】
前記微量のラジウムを含む風化した粒状花崗岩層の上部に、スクリーンを介して活性炭層が積層するのが好ましい（請求項２）。
【０００８】
前記上部の活性炭層と下部の微量のラジウムを含む風化した粒状花崗岩層とは、上下のスクリーンで挟持されているのが好ましい（請求項３）。
【０００９】
前記スクリーンは、ステンレス製の網であるのが好ましい（請求項４）。
前記スクリーンは、５０〜２００メッシュの網目を有し、前記活性炭及び風化した粒状花崗岩は、これより大きな粒度を有するのが好ましい（請求項５）。
【考案の効果】
【００１０】
本考案によれば、ラジウムを含む風化した粒状花崗岩が、極めて高い放射線物質の捕捉作用を有するので、極めて簡単な装置によって、放射性物質を飲用に適する程度に除去することができ、放射性物質で汚染された水道水を、安全に飲用に供することができる。
【考案を実施するための最良の形態】
【００１１】
次に、本考案の実施の形態を図面に基づいて説明する。
【００１２】
図１に示すように、断面円形の浄水器ハウジング（タンク）１には、上端に水道の蛇口と連通する通水口２、下端側部に放射性物質を除去した水の吐出口３が形成され、吐出口３には、自在パイプ７が連結されている。内部には第２スクリーン４ｂを介して、上部に活性炭層５が、下部に放射性物質除去能を有する風化した粒状花崗岩層６が、充填されている。尚、通水口２には、ホースを介して水道の蛇口と連結するようになっている。
【００１３】
活性炭層５は、第２スクリーン４ｂと第１スクリーン４ａとで挟持され、風化した花崗岩層６は、第２スクリーン４ｂと第３スクリーン４ｃとで挟持されている。
【００１４】
スクリーン（第１スクリーン〜第３スクリーン）４は、図２に示すように、ステンレスで短円筒状に形成した枠体に網８の底部を形成している。尚、円筒状に形成された熱可塑性樹脂（例えば塩ビ）に、ステンレスの網をヒートシールで溶着固定しても差し支えない。
【００１５】
スクリーンは、５０〜２００メッシュの網目であるのが好ましく、活性炭及び風化した粒状花崗岩は、この網目を通過しない程度の大きさにする必要がある。
【００１６】
本考案に使用するラジウムを含む風化した花崗岩としては、海底火山で生成されたものが、太平洋プレートで陸地化してから６００万年以上経過したものを使用することができる。この風化した花崗岩は、石英、長石、雲母が大豆粒以下に壊れているので、スコップで採取することができる。採取してから篩にかけ、大豆粒のものだけを図１に示すように充填する。この大きさのものだと通水能力に優れると共に容易にミネラル水を生成する。この風化した花崗岩の分析結果を次表１に示す。尚、この風化した花崗岩は、遠赤外線を発生することが実験により確認されている。更にこの風化した花崗岩には、水の分子集団（クラスター）を小さくする作用があるので、人間の細胞に吸収され易い、極めてのど越しの良い美味しい水となる。
【００１７】
【表１】
0003169705.tif 000003
上記分析結果から明らかなように、本発明の風化した花崗岩には、ラドンが微量に含有されている。
【００１８】
自家用水道水２．０リットルを採取し、「緊急時における食品の放射性測定マニュアル」に基づくNa（TI）シンチレーションサーベイメーターによる放射性ヨウ素の測定法（I-１３１換算による放射性ヨウ素測定法）によって、ヨウ素換算測定値を求めた。結果は、１６０Bq/kgであった。試験は、株式会社同位体研究所で行った。
【００１９】
尚、放射性ヨウ素換算測定値とは、第１段階モニタリングにおける測定・分析により、放射性ヨウ素・セシウム等の放射線核種をすべてI-１３１ （放射性ヨウ素１３１）に換算して測定した値である。第１段階モニタリングにおいては、放射性物質の影響範囲の特定が目的であることから、迅速検査として、Na（TI）シンチレーションサーベイメーターにより、放射性物質の放射線濃度について、混合核種の代表核種であるヨウ素１３１に換算した測定を行うものである。
【００２０】
図１に示す浄水器を使用し、濾過した水を同様に分析し、同様の方法により、放射性ヨウ素換算測定値を求めた。結果は、不検出（２０Bq/kg未満は不検出と判定）であった。
【００２１】
図１に示す浄水器で活性炭を除き、全てをラジウムを含む風化した花崗岩とした浄水器で同じ実験を行った結果、放射性ヨウ素換算測定値は、同様に不検出であった。
【００２２】
上記結果から、本発明の浄水器は、ラジウムを含む風化した花崗岩の放射性物質捕捉作用から、放射性物質除去能力を有すること明らかである。
【図面の簡単な説明】
【００２３】
【図１】本考案による水道水から放射性物質を除去する浄水器の一例を示す断面図である。
【図２】本考案に使用するスクリーンの一例を示す斜視図である。
【図１】
0003169705.tif 000004
【図２】
0003169705.tif 000005